(57)【要約】磁気共鳴撮像装置（１０）及び方法は、磁気共鳴信号の空間エンコードを行い、予め選択されたｋ空間軌跡（７８，１７８’，１９，８８，９８，９８’，１０８，１１８，１２８，１２９，１４８，１５８）に沿ってデータを収集する。ｋ空間軌跡は、ｋ空間の全体体積（７０，８０，９０，１００，１１０，１２０）についてのデータをサンプリングすることなく、ｋ空間データの複数の交差する平面（９４，９６；１１４，１１６）又は部分平面（７４，７６；８４，８６；１０４，１０６；１２４，１２６；１４４，１４６；１５４，１５６；１８０，１８８；１９０，１９８）を網羅する。このようにして、体積画像データは、単一の又は比較的少ない数の励起期間中に収集されうる。
2004515288.tif 000002
【特許請求の範囲】
【請求項１】
検査領域中に極性を与える磁場を生じさせる段階と、
関心体積中に全体として磁気共鳴を励起するために無線周波数パルスを印加する段階と、
体積全体中で磁気共鳴を励起した後に、ｋ空間データの複数の交差する平面又は部分平面についてのデータを収集するために励起された磁気共鳴を同時にサンプリング及び空間エンコードする段階とを含み、
ｋ空間データの各平面は関心体積を通る異なる角度の視野に対応し、上記ｋ空間データの複数の平面又は部分平面は３次元ｋ空間データ集合全体を収集することなく収集される、
診断のための撮像の方法。
【請求項２】
上記ｋ空間データの複数の交差する平面は、
一つの無線周波数励起期間内に収集されるｋ空間データの交差する平面と、
各平面の一部が一つの無線周波数励起期間内に収集されるｋ空間データの交差する平面とのうちから選択される、請求項１記載の方法。
【請求項３】
共通体積の異なる角度の投影画像表現を形成するためにｋ空間データの各平面を再構成する段階を更に含む、請求項１又は２記載の方法。
【請求項４】
人間である観察者に奥行きの認識を与える人間が見ることができる画像を発生させるために、人間が見ることができるディスプレイシステムへ画像表現を出力する段階を更に含む、請求項３記載の方法。
【請求項５】
上記人間が見ることができるディスプレイシステムは、
立体ディスプレイシステムと
ホログラフィーディスプレイシステムと、
観察者の第１の目に対して示されるよう構成される第１のディスプレイと観察者の第２の目に対して示されるよう構成される第２のディスプレイとを含むマルチプル・ディスプレイシステムと、
立体画法印刷媒体及びホログラフィー印刷媒体のうちから選択される印刷媒体上に画像を記録する手段と、
のうちから選択される、請求項４記載の方法。
【請求項６】
上記データの複数の平面又は部分平面は、二面からなる表面を形成するデータの２つの半平面を含み、２つの半平面の間にｋ空間の公称中心を通る交差線がある、請求項１乃至５のうちいずれか一項記載の方法。
【請求項７】
共役対称法を用いて収集されるデータの各半平面から完全な平面データ集合を発生する段階と、
共役対称法を行う前に、データの各半平面に対してデータの他方の半平面の一部を用いて、収集されてないデータを近似する段階と、
のうちの１つ又は両方を更に含む、請求項６記載の方法。
【請求項８】
上記ｋ空間軌跡は、
二面螺旋軌跡と、
上記平面の間の交差線に直交して延びるデータの線と、
上記平面の間の上記交差線に平行に延びるデータの線とのうちの１つを含む、請求項１乃至７のうちいずれか一項記載の方法。
【請求項９】
ｋ空間中のデータの隣接する線は同じ傾斜の周波数エンコードの極性である、請求項１乃至８のうちいずれか一項記載の方法。
【請求項１０】
上記サンプリング及び空間エンコード段階において、
ｋ空間軌跡を与えるために第１、第２、及び第３の互いに直交する軸に沿って第１、第２、及び第３の傾斜磁場を印加し、上記軌跡に沿って定期的な間隔でデータをサンプリングし、上記データの複数の平面又は部分平面は水掻き車型の表面を形成する２つのデータの平面を含み、上記２つの平面はｋ空間の公称の中心を通る交差線を有する、請求項１乃至９のうちいずれか一項記載の方法。
【請求項１１】
上記ｋ空間軌跡は、
上記平面の間の上記交差線に対して直交して延びるデータの線と、
上記平面の間の上記交差線に対して平行に延びるデータの線とのうちの１つを含む、請求項１乃至１０のうちいずれか一項記載の方法。
【請求項１２】
上記空間エンコード及びサンプリング段階において、
上記第１の軸に沿って、略正弦波状であり略一定の振幅を有し、フィールドエコーを生じさせ、各エコーを周波数エンコードするための上記第１の傾斜磁場を印加し、
上記第２の軸に沿って、各位相エンコードブリップが各エコーをｋ空間の他の線へステップを進ませるための一連の位相エンコードブリップである上記第２の傾斜磁場を印加し、
上記第３の軸に沿って、上記周波数エンコード傾斜磁場を摂動させるよう略鋸歯状の波形であり異なる空間的な向きの部分を決める上記第３の傾斜磁場を印加する、請求項１乃至９及び１１のうちいずれか一項記載の方法。
【請求項１３】
撮像されるべき対象の少なくとも一部が配置される検査領域を通って時間的に一定の磁場を形成する磁石系と、
上記撮像されるべき対象の関心体積に対して無線周波数磁場励起を与える無線周波数励起系と、
上記関心体積からの磁気共鳴データを検出し復調する受信器系と、
上記関心体積からの磁気共鳴データの空間的な弁別を与えるようエンコード傾斜磁場を印加し、予め選択されたｋ空間軌跡に沿って上記磁気共鳴信号データを空間エンコードし、上記ｋ空間軌跡はｋ空間データの２つの交差する平面の夫々の少なくとも一部に亘る、磁場エンコード系とを含む、磁気共鳴撮像装置。
【請求項１４】
上記磁気共鳴データを電子画像表現へ再構成する画像再構成プロセッサと、
立体ディスプレイシステム、ホログラフィーディスプレイシステム、及び
見る人の第１及び第２の目に対して別々に角度的にずらされた画像を見せる別々の第１及び第２の表示画面を含むマルチプル・ディスプレイシステムのうちから選択される人間が見ることができる表現として画像表現を出力するディスプレイシステムとを更に含む、
請求項１３記載の磁気共鳴撮像装置。
【請求項１５】
上記２つの交差する平面の少なくとも一部は、二面からなる表面を形成する２つの交差するデータの半平面を含む、請求項１３又は１４記載の磁気共鳴撮像装置。
【請求項１６】
上記軌跡の少なくとも一部は二面からなる表面を形成しその間に交差線がある２つの半平面と一致し、
上記半平面の交差線の知覚の軌跡の部分は滑らかな曲線を通るよう上記半平面から逸れる、請求項１３乃至１５のうちいずれか一項記載の磁気共鳴撮像装置。
【請求項１７】
収集されたｋ空間データの各半平面からｋ空間データの完全な平面を生成する共役対称プロセッサを更に含む、請求項１３乃至１６のうちいずれか一項記載の磁気共鳴撮像装置。
【請求項１８】
上記２つの交差する平面の少なくとも一部は、水掻き車型の表面を形成しｋ空間の公称中心を通る交差線を有する２つの平面を含む、請求項１３乃至１７のうちいずれか一項記載の磁気共鳴撮像装置。
【請求項１９】
無線周波数パルスによって関心体積中の選択された双極子が共鳴させられ、ｋ空間中の３つの次元で予め選択されたデータサンプリング軌跡に沿って共鳴信号データが同時に検出され空間エンコードされるよう無線周波数パルスの印加の後に一連の傾斜磁場が印加される撮像方法において、
ｋ空間の体積全体についてデータをサンプリングすることなく、ｋ空間の複数の交差する平面又は部分平面上にデータサンプリング軌跡が位置するよう傾斜磁場を印加することを特徴とする撮像方法。
【請求項２０】
ｋ空間中の上記軌跡が二面からなる表面及び水掻き車型表面のうちから選択される表面に沿うよう構成されることを更に特徴とする、請求項１９記載の磁気共鳴撮像方法。
【発明の詳細な説明】
【０００１】
［発明の背景］
本発明は磁気共鳴撮像技術に関連する。本発明は、特に、各データ平面が関心体積を通る視野（ビュー）又は投影を表わすｋ空間中の選択された数の平面を読み出すことにより奥行き情報を効率的に与える磁気共鳴撮像装置及び方法に適用され、これについて特に参照して以下説明する。しかしながら、本発明の技術は他の磁気共鳴撮像技術にも適用されうる。
【０００２】
磁気共鳴撮像（ＭＲＩ）は、臨床医及び診断医に被検体の中の関心領域の解剖学的な構造及び状態についての情報を与える非侵襲的な撮像技術である。一般的にＭＲＩでは、撮像されている又は検査されている被検体が配置される検査領域中に略均一な時間的に一定の主磁場（Ｂ０）が生じさせられる。無線周波数（Ｒ）磁場（Ｂ１）の励起と操作を通じて、被検体中の主磁場に整列されていた選択された磁気双極子は磁気共鳴を励起するよう傾斜させられる。共鳴は、一般的には被検体の選択された領域から検出可能な磁気共鳴エコーを生じさせるために操作される。撮像において、エコーは主磁場中に確立された傾斜磁場を通じて空間エンコードされる。ＭＲＩスキャナからの生データは、一般的にｋ空間として知られるマトリックス中に集められる。被検体の画像表現は、逆フーリエ変換、２次元フーリエ変換、３次元フーリエ変換、又は他の公知の変換を用いることにより、ｋ空間データから再構成される。
【０００３】
診断及び処置方針を決めるために奥行き又は３次元情報が有用である多くの適用がある。例えば、血管の撮像では、断面図は血管を通るスライスを示すのみであり、このことは狭窄又は他の異常を診断することを困難としている。同様に、針追跡、カテーテル追跡等の介在的な撮像は３Ｄ情報を必要とする。また、奥行き情報は、画像がリアルタイム又は略リアルタイムで表示され、それに応答して操作者が視野角度、コントラストパラメータ、視野、位置、フリップ角、反復時間、及び解像度等のスキャンパラメータを調整しうる、いわゆるインタラクティブ撮像技術において有用である。
【０００４】
３次元撮像は、一般的に、体積的な画像を生成するために組み合わされる多数の２次元画像又はスライス画像を捕捉するか、３次元撮像技術を使用する。これまで、体積撮像の効率を高めるための多くの努力は捕捉を速める点に注目されてきた。例えば、３次元撮像のために多くの２次元高速スキャン手順が適合されてきた。同様に、例えば改善された再構成アルゴリズムを使用することにより再構成速度及び効率を改善するための努力がなされてきた。それでもなお、３次元撮像は比較的遅いままである。
【０００５】
エコー・プレーナ撮像（ＥＰＩ）は、単一のＲＦパルスに続いて一連のエコーが高速に生成される公知の撮像技術である。更に特定的には、ＲＦパルス及びスライス選択傾斜磁場は選択されたスライス中に共鳴を励起するために印加され、位相エンコード傾斜は共鳴を位相エンコードするために印加される。交互の極性の一連の周波数エンコード又は読み出し傾斜磁場は連続して印加される。各読み出し傾斜磁場に亘って、磁気共鳴信号又はエコーが読み出される。各読み出し傾斜磁場の間、位相エンコード得傾斜磁場の軸に沿って、選択されたスライス中で線によって共鳴の位相エンコードをインクリメントするために短いパルス又はブリップが印加される。各エコーの１次元逆フーリエ変換により、読み出し軸に沿ったスピン分布の投影が与えられる。位相エンコードエコーに沿った第２の逆フーリエ変換は、空間エンコードの第２の次元を与える。一般的には、位相エンコード傾斜ブリップは、視野全体に対するデータが各ＲＦパルスに沿って得られる適当な大きさから選択される。全体サンプリング時間は、読み出し傾斜磁場当たりのサンプリングされた点の数と位相エンコード傾斜段階の数によって決定される。
【０００６】
エコー体積撮像は、エコー・プレーナ撮像技術を多数の平面へ拡張するものである。上述のエコー・プレーナ撮像シーケンスを実行した後、２次位相エンコード軸に沿ったパルス又はブリップが印加される。一般的に、２次位相エンコードブリップは、位相エンコードを１次位相エンコード及び読み出し軸に垂直な軸に沿ってステップを進める。その後、位相エンコード傾斜ブリップは、１次位相エンコード方向にライン毎にステップを進めるために各読み出し傾斜磁場の間に印加される。第１のｋ空間平面中の位相エンコードブリップは位相エンコードを視野の１つの一番端の縁へ動かすため、２次位相エンコード方向の第２のｋ空間平面中の位相エンコードブリップは、位相エンコードを逆方向に戻すようステップさせるために一般的に逆の極性である。このようにして、多数の平面が整列されるが、ｚ方向上はステップごとにずれている。上述のエコー・プレーナ撮像技術及びエコー体積撮像技術の１つの欠点は、ｋ空間を通る軌跡が交互の位相エンコード線又は視野について時間的に逆とされることである。これは、位相の不連続を生じさせ、結果的にゴーストを生じさせうる。
【０００７】
螺旋エコー・プレーナ技術もまた周知であり、印加されるｘ傾斜磁場パルス及びｙ傾斜磁場パルス、即ち従来の読み出し及び位相エンコード軸に沿った傾斜磁場パルスは正弦波状に変化し線形に増加する。このようにして、データサンプリングは視野の中心から開始し外向きに螺旋状に広がり、螺旋ｋ空間軌跡に沿って視野を網羅する。しかしながら、螺旋エコー・プレーナ撮像の１つの欠点は、単一スライス技術であることである。多数のスライスを得るために、螺旋エコー・プレーナ撮像は多数回繰り返される。関心対象を網羅するために各スライスに対してＲＦ励起パルスとスライス選択傾斜磁場と、その後に続く正弦波状に変化し線形に増加するｘ及びｙ傾斜磁場が印加される。
【０００８】
従って、本発明は、単一のＲＦ励起パルスの後に３次元又は奥行き情報が捕捉される新規な改善された磁気共鳴撮像装置及び方法を提供することを目的とする。
【０００９】
［発明の概要］
本発明によれば、ｋ空間の選択された数の平面又は部分平面でデータが収集される磁気共鳴撮像技術が提供される。
【００１０】
１つの面によれば、診断のための撮像方法は、検査領域中に極性を与える磁場を生じさせ、関心体積中に全体として磁気共鳴を励起するために無線周波数パルスを印加する。体積全体中で磁気共鳴を励起した後に、ｋ空間データの複数の交差する平面又は部分平面についてのデータを収集するために励起された磁気共鳴を同時にサンプリング及び空間エンコードする。ｋ空間データの各平面は関心体積を通る異なる角度の視野に対応する。ｋ空間データの複数の平面又は部分平面は３次元ｋ空間データ集合全体を収集することなく収集される。
【００１１】
更なる面によれば、磁気共鳴撮像装置は、撮像されるべき対象の少なくとも一部が配置される検査領域を通って時間的に一定の磁場を形成する磁石系と、撮像されるべき対象の関心体積に対して無線周波数磁場励起を与える無線周波数励起系とを含む。受信器系は関心体積からの磁気共鳴データを検出し復調し、磁場エンコード系は、一つの無線周波数励起期間内で関心体積からの磁気共鳴データの空間的な弁別を与えるようエンコード傾斜磁場を印加する。磁場エンコード系は、予め選択されたｋ空間軌跡に沿って磁気共鳴信号データを空間エンコードし、ｋ空間軌跡はｋ空間データの２つの交差する平面の夫々の少なくとも一部に亘る。
【００１２】
本発明の他の利点は、深さの認識のために使用されうる複数の視野を与えると共にエコー・プレーナ撮像の速度特徴を与えることである。
【００１３】
本発明の他の利点は、異なる視野の間に気づかれるような遅延なしに３つの次元が一回のショットで空間エンコードされ得、それにより、患者の動き、生理的な動き等による種々の動きによる不一致、ぼけ、又は他のアーティファクトをなくしうることである。
【００１４】
本発明の他の利点は、造影のボーラス注入等に続き速く動く構造の動きをフリーズさせるといった短いデータ収集ウィンドウを用いる適用に容易に適応されうることである。
【００１５】
本発明の他の利点は、針又はカテーテル追跡といった介在的な方法に容易に適応されうることである。
【００１６】
本発明の更なる他の利点は、インタラクティブな撮像適用のために速い奥行きキューを与えるために使用されうることである。
【００１７】
他の利点は、ｋ空間データの体積全体が収集されないため、サンプリングがより効率的に行われることである。
【００１８】
本発明の他の利点は、患者の検査時間を減少させることである。
【００１９】
本発明の更なる利点は、当業者によれば、以下の望ましい実施例の詳細な説明を読み理解することによって明らかとなろう。
【００２０】
［望ましい実施例の詳細な説明］
本発明は、種々の構成要素及び構成要素の配置と、種々の段階及び段階の配置とをとりうる。図面は望ましい実施例を例示するためだけのものであり、本発明を制限することを意図するものではない。
【００２１】
図１を参照するに、ＭＲＩスキャナ１０は、検査領域１４を通るｚ軸に沿って略均一な時間的に一定の主磁場Ｂ０が形成されるよう、超伝導又は抵抗磁石１２を制御する主磁場制御部３０を含む。図１中、ボアタイプの磁石が示されているが、本発明はオープン磁石システム及び他の公知の種類のＭＲＩスキャナに等しく適用可能である。撮像実験は、撮像又は検査されるべき被検体（例えば患者、ファントム等）を少なくとも部分的に検査領域１４の中に、一般的には関心領域をアイソセンタにおいて配置して磁気共鳴シーケンスを実行することによって行われる。本発明による磁気共鳴シーケンスは、関心体積中に磁気共鳴を生じさせるためのＲＦ磁場パルス（Ｂ１）の印加と、磁気共鳴を空間エンコードするために被検体に対して印加される傾斜磁場パルス又は周期的波形の印加とを必要とする。更に特定的には、パルス増幅器２０は、検査領域１４のｘ、ｙ、ｚ軸に沿って傾斜磁場を生じさせるために全身傾斜コイル組立体２２に対して電流パルスを印加する。
【００２２】
望ましくはディジタル送信器であるＲＦ送信器２４は、検査領域中にＲＦ磁場パルスを発生するために全身ＲＦコイル２６といったＲＦ送信コイルにＲＦパルスを印加する。典型的なＲＦパルスは、互いに取られる短い持続時間のすぐに連続するパルスセグメントのパケットから構成され、任意の印加される傾斜磁場は選択される磁気共鳴操作を達成する。
【００２３】
ＲＦパルスは、検査領域の選択された部分中の共鳴を励起するために使用される。全身の適用の場合、選択される操作の結果として発生される結果としての共鳴信号は、一般的に全身ＲＦコイル２６によってピックアップされる。或いは、被検体の限られた領域中でＲＦパルスを発生するために、局所的なＲＦコイルは一般的に選択された領域の近傍に配置される。例えば、従来技術で知られているように、挿入可能なヘッドコイル２８はボアのアイソセンタにある選択された脳の領域を囲むよう挿入される。他の表面コイル又は他の専用のＲＦコイルもまた使用されうる。望ましくは、全身ＲＦコイル２６は共鳴を生じさせ、局所ＲＦコイルは選択された領域から発せられる磁気共鳴信号を受信する。他の実施例では、局所的なＲＦコイルは結果として得られる磁気共鳴信号を励起し受信する。
【００２４】
ＲＦコイル構成とは無関係に、結果としてのＲＦ磁気共鳴信号はＲＦコイルのうちの一方又は他方によってピックアップされ、受信器３２によって復調される。望ましくは、シーケンス制御回路４０は、受信器３２によって受信されサンプリングされる磁気共鳴（ＭＲ）信号又はエコーを発生するＭＲＩパルスシーケンスを生成するよう傾斜パルス増幅器２０及びＲＦ送信器２４を制御する。
【００２５】
選択された関心体積中で共鳴を励起するためにＲＦパルスを適用した後、ＭＲＩ傾斜磁場パルスシーケンスは、励起された体積中のｋ空間データの複数の交差する平面又は部分平面についてのデータを収集するために更なる無線周波数パルスなしに励起された磁気共鳴を同時に空間エンコードしサンプリングするために、シーケンス制御回路４０の制御下で傾斜増幅器２０によって実行される。多数のデータの平面は、ｋ空間の体積全体についてのｋ空間データを収集することなく収集される。任意の共役対称プロセッサ５１は、データの半平面が収集されたときにｋ空間データの完全な平面を生じさせる。位相合わせプロセッサ５３は、例えば、収集された半平面を越えて延びる少量のサンプリングされたデータをこのようなデータをｋ空間中で空間的に近い実際に収集されたデータと整列させるためにオーバースキャン又は近似させることによって、サンプリングされたデータと合成された共役的に対称なデータとの間の全ての位相不連続性について補正する。
【００２６】
受信器３２からのデータは、データの選択された複数の平面又は部分平面を網羅するｋ空間軌跡に沿ってサンプリングされる。第１の平面又は部分平面からのデータは第１のデータ視野メモリ５０に格納され、第２の平面又は部分平面からのデータは第２のデータ視野メモリ５２に格納される。図示される望ましい実施例では、励起された関心領域中で収集されるデータの平面又は部分平面の数は２である。他の実施例では、より多くの数の望ましくは約３乃至約８の平面又は部分平面が撮像されてもよい。
【００２７】
望ましい実施例では、ＭＲＩスキャナは、３次元のｋ空間体積内の多数の平面又は部分平面からデータを収集するよう変更されたエコー・プレーナ撮像（ＥＰＩ）パルスシーケンスを実行する。データは、通常の方法で、生データ時間表現へ、次にｋ空間表現へサンプリングされる。このようにして、本発明は一つのＴＲ期間、即ち、ＥＰＩシーケンスのための繰り返し時間中に、奥行き情報を含む画像全体を記録する。本発明を実行するために、他のマルチ・エコー撮像技術が適用されえ、これらは、ファスト・スピン・エコー、ＧＲＡＳＥ、ＨＡＳＴＥ、Ｅｘｐｒｅｓｓ、マルチ・ショット法、スピン・エコーＥＰＩ、グラジエント・エコーＥＰＩ、ＤＷＩ−ＥＰＩ、ＰＷＩ−ＥＰＩ法、多数のエコー時間の画像等を含むが、これらに限られるものではない。
【００２８】
望ましい実施例では、データの各平面は、奥行き情報を伝達するよう出力又は表示のために別々に再構成される。第１の再構成プロセッサ５４は、受信した第１の視野（ビュー）データをコンピュータメモリ５８中に格納される第１の視野画像表現へ再構成する。同様に、第２の再構成プロセッサ５４は、受信した第２の視野データをコンピュータメモリ６０中に格納される第２の視野画像表現へ再構成する。或いは、単一の再構成プロセッサが時分割方式で各視野を再構成しうる。視野の再構成は、標準的な再構成アルゴリズムを用いて実行される。望ましい実施例では、共鳴は被検体の撮像された体積全体中で励起される。第１の画像表現は体積全体の第１のサンプリング平面に対して垂直な方向の投影であり、第２の画像表現は同じ体積の第２のサンプリング平面に対して垂直な方向の投影である。２つの視野は、メモリ６４に格納される立体又は３次元画像表現を形成するために立体画像合成プロセッサ６２において合成される。
【００２９】
望ましくは、立体画像又は３Ｄ画像は３Ｄ又は、立体画像発生器６６を介して表示又は出力される。即ち、画像は、観察者に対して奥行き情報又は奥行きキューを与えるようレンダリングされる。このような技術は、例えば立体写真眼鏡等といった立体ゴーグルで見るために１つのディスプレイ上に又は多数のディスプレイ上に画像を並べて表示することを含む。また、例えば頭部装着用装具に取り付けられた左目用ディスプレイ及び右目用ディスプレイを有する種類の立体視ディスプレイが使用されうる。また、捕捉された一連の時間的にずれた立体視野が、例えばシネタイプの立体ディスプレイを用いることによって連続して表示されうる。また、３次元データセットを見るための種類の多層ディスプレイ、角度的に多重化されたホログラフィーディスプレイといった多数の平面の３次元観察のためのホログラフィーディスプレイ、及び多数のデータの平面がその上に多数の位相として表示されるレンチキュラーディスプレイの使用が考えられる。追加的に、又は、代わりに、画像平面は、例えば立体視ゴーグル又は眼鏡で見るための種類の立体プリントといったハードコピーへ出力されるか、又は観察者の夫々の目に対して別々の角度的にずらされた視野が示される。多数の視野を例えば角度的に多重化されたホログラムの形式でホログラフィー記録媒体へ出力するために、ホログラムプリンタ又は他のホログラフィー記録手段が使用されうる。同様に、視野は、多位相レンチキュラー印刷媒体の多数の位相として出力されうる。もちろん、従来の２次元ディスプレイモニタ４４上への表示のためにビデオプロセッサ４２により従来の２次元ディスプレイのために画像データを処理することが考えられ、例えば標準的な方法で個々の視野、多数の視野の組合せ又は投影、ハードコピーの印刷物等を表示するために、画像データを処理することが考えられる。
【００３０】
図２Ａを参照するに、磁気共鳴は関心体積中で励起され、シーケンスコントローラ４０はｋ空間７０を通るサンプリング軌跡が二面からなる（ｄｉｈｅｄｒａｌ）表面７２に亘るようｘ、ｙ、及びｚ傾斜コイルドライバ及び増幅器２０を制御する。二面７２は略Ｖ字型の断面を有し、ｋ空間７０内の２つの交差する部分平面７４及び７６によって形成される。平面７４と７６の間の交差部は、ｋｙ方向に沿った折れ線７５を形成する。望ましくは、収集されるデータの各平面又は部分平面はｋ空間の中心を通過し、その場合、交差線もまた必ずｋ空間の中心を通過する。ｋ空間軌跡７８は、図示するように点Ａ，Ｂ，Ｃ等を通って順に進み、ｋｙ方向にステップが進められる。角度θは、約４°乃至約９０°の範囲であることが望ましく、より望ましくは２つの画像が立体対として３次元的に見られることを可能とする視差の度合いを与える角度であり、例えば約５°−１５°であり、最も望ましくは約６°である。より小さい角度とすることは、立体視のために理想的な間隔を与えることに加え、実行のためのハードウエアをあまり要求せず、軌跡が折れ線を通るときに平面から平面へジャンプするため又は方向を変えるために費やされる時間が少ない傾斜波形に対応する。
【００３１】
図２Ｂは、図２Ａに示す軌跡７８に沿ってｋ空間を横切るための部分パルスシーケンスを示す図である。傾斜磁場Ｇｘは正弦波として変化し、傾斜磁場Ｇｙは軌跡を軸ｋｙに沿ってステップを進めるための一連のブリップである。傾斜磁場Ｇｚは交互に急な立上り時間と比較的ゆっくりな立下り時間とを有し、例えば略鋸歯波形であり、軌跡７８を折れ線７５の周りに曲げさせるために印加される。他の波形もまた使用されうることが認識される。例えば、正弦波波形は、例えば交互の台形セグメントといった他の形状から構成されうる波形によって置き換えられえ、交互でない極性の位相エンコードブリップはより低い振幅の一定の波形によって置き換えられうる。
【００３２】
図２Ｂを参照するに、Ｇｚに印加される傾斜波形は、それがなければＧｚなしにＧｘによって定義されたであろう読み出し軌跡の方向を変更する摂動として考えられうる。波形Ｇｚが単に一定のゼロ振幅であれば、従来のエコー・プレーナ読み出しが得られ、ｋ空間の単一の平面を収集する。しかしながら、図２Ａ及び図２Ｂの実施例では、折り線７５の片側で、従来の方向ｋｘは両方の正のｋｘ及びｋｚの成分で角度付けられた方向によって置き換えられる。折り線７５の他の側では、従来の方向ｋｘは、正のｋｘ成分であるが負の成分ｋｙで他の角度付けられた方向によって置き換えられる。波形Ｇｚはｋ空間軌跡を単一の平坦な平面ｋｚ＝０から逸脱させる摂動又は逸脱を与える。このように考えると、軌跡は折れ線を横切るときに突然方向が変化することが要求されることが明らかとなり、Ｇｚの摂動部が点Ｂ，Ｄ，Ｆ等で示されるように急な変化を示すべきであることが自然である。
【００３３】
図示され以下説明するパルス図は、本発明を表わす典型的なデータ収集技術を示すためのパルスシーケンスの読み出し部の幾つかのサイクルを示す。読み出しの前に、ＲＦ励起が実行されることが認識されるであろう。本発明は、いずれかの特定の励起又はＲＦ特性に限られるものではない。例えば、ＲＦ励起は、スピン・エコー、フィールド・エコー、多数のエコー形成、又は刺激されたエコーでありうる。励起される体積は、スラブ、カラム、３次元で規定される体積、又は空間的に完全に非選択でありうる。同様に、例えば化学（脂肪）サチュレーション、空間プレサチュレーションパルス、ＭＴＣパルス、逆復元等といった任意の種類のプレパルスがありうる。最初の励起の後、例えば拡散重み付け、速度フローエンコード、立体編集等を含むコントラスト準備方法が適用されうる。
【００３４】
図２Ａの実施例とｋ空間データの半平面が収集される他の実施例では、平面の他方の半分を生成し、視野のための完全なデータセットを発生するために共役対称を使用することが望ましい。一般的には、共役対称合成が行われるとき、データセットの半分を少し越える部分を収集することが望ましい。冗長な実際にサンプリングされたデータ及び共役データを比較し、実際に収集され共役されたデータの間の境界面での全ての位相不連続性についての位相補正を決定する。ｋ空間軌跡が折れ線の周りに曲がる実施例では、平面の交差部を少し越えて延びるところからのデータは収集されない。このような例では、図２Ｃ及び図２Ｄに示されるように、折り線を少し越えるところからの少量のデータは収集されていないデータを近似するために使用される。図２Ｃ中、平面７６からの、即ち平面７４から折り線７５を少しだけ越えたところからの少量のデータ７１は、折り線を少し越えたデータの近似として使用される。同様に、図２Ｄ中、平面７４からの、即ち平面７６から折り線７５を少しだけ越えたところからの少量のデータ７３は、折り線を少し越えているが平面７６の方向に沿ったデータの近似として使用される。近似は、特に角度θが、例えば２つの視野を立体的に見るのに適した幾らかの適度な角度であるとき、ｋ空間内での実際の領域に対する近似された領域の空間的な近さにより成り立つ。従って、体積を通る２つの視野方向に対応するデータセットは、標準２Ｄプレーナスキャンと同じく迅速に捕捉されうることがわかる。
【００３５】
二面からなる表面７２を網羅するための他の軌跡もまた考えられ、本発明は任意の特定のｋ空間軌跡を用いたｋ空間の多数の平面又は部分平面の範囲に限られるものではない。例えば、軌跡は傾斜サイクルが傾斜ハードウエア２０によってより容易に実現されるものであるよう変更されうる。例えば、図２Ａの実施例では、移動エンコード傾斜磁場Ｇｚは軌跡がｋ空間の中心において鋭いコーナーを曲がるところ、即ち交差線７５に沿った点Ｂ、Ｄ、Ｆ等において垂直又は略垂直な傾きを有する。図３Ａの実施例では、軌跡は、ｋ空間の中心（０，０）のわずかに近くで平面から逸れ、ｋ空間体積８０の中に部分的な平面８４及び８６を含む略二面からなる表面８２を与えるよう平滑な曲線を横切る。図３Ｂは、ｋ空間８０の平面図であり、収集された二面からなる表面８２の割りピン型断面を示す図である。図３Ｃは、図２と同様にｋｙ軸に沿ってステップを下がる一連の割りピン形状の軌跡でｋ空間中の表面８２を横切るための部分パルスシーケンスを示す図である。他の実施例では、代わりに、折り線を横切る瞬間にＧｘ傾斜をゼロの値まで下げることが可能であるが、この技術は大きい振幅の傾斜を中断し捕捉を遅くする可能性があるため望ましくない。
【００３６】
図３Ｄ及び図３Ｅは、データの２つの半平面の間の交差線が平滑な曲線を通る更なる他の実施例を示す図である。図３Ｄ中、半平面１８０及び１８８は望ましくは小さい角度である角度θによって完全な平面を構成するものではない。この例では、ｋ空間軌跡は半平面１８０を通り、交差線１８１を通って進み、略同じ方向の路１８２に沿って進む。次の軌跡は、ループ１８４の一部に沿って滑らかに曲がり、軌跡の部分１８６に沿って交差線に向かい、交差線を過ぎて第２の半平面１８８に沿って略同じ方向に進む。
【００３７】
ループした部分は、略３６０°−θの正味の角度に亘る角度の変化を生じさせる。軌跡はそれ自身を逆にし、Ｋｙの様々なステップに亘って数回繰り返される。
【００３８】
図３Ｅ中、半平面１９０及び１９８は互いに殆ど一致し、望ましくは小さい角度である角度θだけ離される。本例では、軌跡のループした部分１９４は、滑らかに略１８０°＋θの方向の変化を生じさせる。
【００３９】
図３Ｄ及び図３Ｅに示される軌跡は、典型的な傾斜ハードウエア増幅器２０及び傾斜コイル２２での実施のために実用的な平滑な傾斜プロファイルで発生されうる。更に、これらのサンプル軌跡は両方とも、ｋ空間の中心を少し越えて、例えば領域１８２及び１８６（図３Ｄ）並びに１９２及び１９６（図３Ｅ）から、共役対象合成の操作において役立ちうるデータであるデータを収集するよう行われうる。
【００４０】
このような実施では、交差線（夫々、１８１及び１９１）はＫｘ＝０及びＫｚ＝０のｋ空間位置で略一致するよう選択されることが普通である。更なる利点は、軌跡が安定した波形で発生されえ、ｋ空間の中心において臨界データが収集されるときに遷移又は重大な誤りがないことである。これらの２つの軌跡は、軌跡のこれらの部分で収集される全てのデータは単純に棄てられるため、ループされた部分（夫々、１８４及び１９４）はわずかな非効率性を示すという小さな欠点を有する。
【００４１】
図４Ａ及び図４Ｂは、二面からなる表面を網羅するための更なる他の軌跡を示す図である。図４Ａは、二面からなる表面７２の平面７４及び７６を通って曲げられる螺旋軌跡７９を示す。図４Ｂは、図４Ａに示す軌跡７９に沿ってｋ空間を通る部分パルスシーケンスを示す。傾斜磁場Ｇｘ及びＧｙは、正弦波状に変化し、振幅は線形に増加する。交互の急な立上り時間と比較的ゆっくりな立下り時間を有する例えば略鋸歯波形の線形に増加する傾斜磁場Ｇｚは、螺旋軌跡７９が折り線７５の周りに曲がるよう印加される。再び、各半平面は再構成の前に共役対称を用いて完全な平面へ拡張される。望ましくは、折り線を少し越えたところからのデータは、近似を通じて、サンプリングされた共役対象データを整列させるために使用される。
【００４２】
ここで図５Ａを参照するに、磁気共鳴は関心対象中で励起され、シーケンスコントローラ４０は、ＲＦ送信器２４と、ｘ、ｙ、及びｚ傾斜コイルドライバと、増幅器２０とを、ｋ空間を通るサンプリング軌跡がｋ空間体積９０内の略水掻き車（ｐａｄｄｌｅ ｗｈｅｅｌ）型の表面９２を網羅するよう制御する。水掻き車型の表面９２は、ｋ空間体積９０内の２つの交差する平面９４及び９６によって形成する略蝶ネクタイ（ｂｏｗ ｔｉｅ）型の断面を有する。ｋ空間軌跡９８は、図示するように点Ａ−Ｇを通って進み、ｋｙ方向にステップで進められている間に同様に続く。２つの平面９４と９６の間の角度θは上述と同様である。図５Ｂは、ステップされた蝶ネクタイ型の軌跡９８に沿ってｋ空間を通る部分パルスシーケンスを示す。セグメントＣ−Ｄ、Ｆ−Ｇ等の間、データは収集されないか、又は棄てられ、ｋ空間の２つの平面９４及び９６は励起された体積の２つの視野を与えるために再構成される。データ平面全体が収集されるため、共役対象は必要でない。図５Ｃに示す実施例では、軌跡は半周期毎にブリップを用いてｋｙ方向に沿って下向きにステップで進められ、即ちトレースされる各完全な蝶ネクタイ軌跡に対して２回ステップで進められる。同様に、例えば、２倍の大きさと半分の周波数を有する位相エンコードブリップを用いることによって図５Ｃに示すＧｙシーケンスを変更することにより、各周期毎に１回のみｋｙ軸に沿ってステップし、１つの水平レベルにおいて各完全な蝶ネクタイ型の軌跡を収集することが可能である。
【００４３】
軌跡９８は、各視野が同じ極性の読み出しで、即ち同じ方向で収集され、従って各視野においてエコー・プレーナ撮像に関連するＮ／２アーティファクトをなくす点で特に有利である。
【００４４】
再び、図５Ａ及び図５Ｂ及びその他の全てにおいて、平面の間又は半平面の間の角度的な分離θは、図面の理解を容易とするために誇張されて示されることがある。上述したように、角度的な分離は比較的小さいことが望ましい。
【００４５】
図６Ａを参照するに、磁気共鳴は関心領域中で励起され、シーケンスコントローラ４０は、ＲＦ送信器２４と、ｘ、ｙ、及びｚ傾斜コイルドライバと、増幅器２０とを、ｋ空間体積１００を通るサンプリング軌跡が二面からなる表面１０２を網羅するよう制御する。二面１０２は、略Ｖ字型の断面を有し、関心領域の２つの視野に対応する２つの交差する部分平面１０４及び１０６によって形成される。ｋ空間軌跡１０８は、図示するように、ｋｘ方向に交互に前後に進み、ｋｙ方向に増分的にステップで進められる。平面１０４と１０６の間の角度θは上述の通りである。図６Ｂは、軌跡１０８に沿ってｋ空間を横切るための部分パルスシーケンスを示す。傾斜磁場Ｇｘは正弦波状に変化し、傾斜磁場Ｇｙは軸ｋｙに沿って軌跡をステップで進めるための一連のブリップである。傾斜磁場Ｇｚは軌跡をｋｚ軸に沿ってステップで進めるための一連のブリップを含み、ブリップの極性は折り線１０５において、即ちエコー列の半分のところ又はｋ空間の中心を通るときに反転される。図６Ａの実施例は、傾斜磁場波形が容易に認識可能である点で特に有利である。これは、平面の間の交差又は折れ線１０５がｋ空間データ線の方向上、即ち図示するように公称のｋ空間軸ｋｚ上にあるためである。これは、収集される各線が折れ線の周りに曲がらねばならない図２Ａに示すような非常に急な立上り時間を伴う傾斜磁場波形を使用する必要性をなくす。再び、データの２つの半平面は、半平面からデータの平面全体を発生するよう共役対象を用いて再構成される。再び、半平面は折れ線１０５を少し越えるところからのデータを用いて収集されていない拡張された領域を近似することによってこのために少しの量だけ拡張されうる。有利には、軌跡１０８は、上側半平面１０４中の信号強度が下側半平面１０６中の信号強度と似るよう、ｋ空間の中心の近傍で対称ＲＦスピンエコー形成と共に行われうる。
【００４６】
図７Ａを参照するに、磁気共鳴は関心領域中で励起され、シーケンスコントローラ４０は、ＲＦ送信器２４と、ｘ、ｙ、及びｚ傾斜コイルドライバと、増幅器２０とを、サンプリング軌跡１１８がｋ空間体積１００内の水掻き車型表面１１２を網羅するよう制御する。水掻き車型表面１１２は略Ｘ型の断面を有し、ｋ空間体積１１０内の２つの交差する部分平面１１４及び１１６によって形成される。この実施例では、平面の間の交差部即ち折り線１１５は、ｋｘ軸の方向上にある。ｋ空間軌跡１１８は、点Ａ，Ｂ，Ｃ，Ｄ，Ａ’，Ｂ’，Ｃ’，Ｄ’，Ａ”，Ｂ”，Ｃ”，Ｄ”等を順次に進み、軌跡はセグメントＢ−Ｃ，Ｄ−Ａ’，Ｂ’−Ｃ’，Ｄ’−Ａ”，Ｂ”−Ｃ”，Ｄ”−Ａ’’’等でｋｙ軸に沿ってステップされ、これらのセグメント上で収集される全てのデータは棄てられる。図７Ｂは、軌跡１１８の３つの連続する平面図を示し、時間の関数としてＫｚ方向に沿って狭まることが示されている。平面１１４と１１６の間の、所望の見る角度がｙ軸方向であるかｚ軸方向であるかに応じて角度θ及び角度φのうちの１つは、立体視のための視差を与えるよう或る適度な角度であることが望ましく、望ましくは５°乃至２０°である。図７Ｃは、軌跡１１８に沿ってｋ空間を横切るための部分パルスシーケンスを示す図である。傾斜磁場Ｇｘは略正弦波状に変化し、各半周期の間には水平なセグメントがあり、水平なセグメントは軌跡が平面の交差部、例えばｋ空間の中心に近づくにつれて時間と共に減少し、平面の交差部を通った後は、例えばエコー列の終わりの半分では時間と共に増加する。傾斜磁場Ｇｙは、軸ｋｙに沿って軌跡をステップするための一連のブリップである。エコー列の始めの半分では、傾斜磁場Ｇｚは、軌跡がｋ空間の中心に近づくにつれ線形に減少する振幅と交互の極性を有する振幅の一連のブリップを含む。ｋ空間の中心、即ち平面１１４と１１６の交差部に達した後、Ｇｚは線形に増加する振幅と交互の極性を有する一連のブリップを含む。データの２つの平面は別々に再構成される。データの２つの完全な平面が収集されるため、共役対称は必要とされない。軌跡１１８から抽出される各プレーナデータサブセットは、１つの一貫した読み出し極性を用いて収集されるため、Ｎ／２ゴーストはなくされる。また、２つの画像は、動き、Ｔ２又はＴ２＊崩壊等による（１次の）同じ影響がある。
【００４７】
図８Ａを参照するに、磁気共鳴は関心領域中で励起され、シーケンスコントローラ４０は、ＲＦ送信器２４と、ｘ、ｙ、及びｚ傾斜コイルドライバと、増幅器２０とを、サンプリング軌跡１２８がｋ空間の体積１２０内の二面からなる表面１０２を網羅するよう制御する。二面１２２は、略Ｖ字型の断面を有し、ｋ空間体積１２０内の２つの交差する部分平面１２４及び１２６によって形成される。本実施例では、平面の間の交差部即ち折り線１２５はｋｘ軸方向上にある。ｋ空間軌跡１２８は、図７Ａ及び図７Ｂに示す軌跡１１８と同じように進行するが、軌跡１２８はｋ空間の中央で、即ち折り線１２５に沿って始まり、外向きに進む。二面からなる表面１２２からのデータのみが維持され、即ち軌跡１２８がｋｘ方向に進むと共に収集されるデータはｋｘ方向に進み、軌跡が平面１２４と１２６の間でジャンプするセグメントに対応するデータは棄てられる。平面１２４と１２６の間の角度θは、立体視のための視差を与えるよう或る適度な角度であることが望ましく、望ましくは５°乃至２０°である。図８Ｂは、軌跡１２８に沿ってｋ空間を横切るための部分パルスシーケンスを示す図である。傾斜磁場Ｇｘは略正弦波状に変化し、各半周期の間には水平なセグメントがあり、水平なセグメントは軌跡がｋ空間の中心から遠ざかって動くにつれて時間と共に増加する。傾斜磁場Ｇｙは、軸ｋｙに沿って軌跡をステップで進めるための一連のブリップである。傾斜磁場Ｇｚは、軌跡がｋ空間の中心から遠ざかって動くにつれ線形に増加する振幅と交互の極性を有する振幅の一連のブリップを含む。
【００４８】
図８Ａの実施例は、図７Ａと同様であるが、データの半平面が収集される。半平面が収集されるため、視野のための完全なデータセットを発生するために共役対称が使用される。再び、折り線を少し越えたところからの少量のデータは、共役対称データと実際に収集されたデータを整列させるために平面に沿って収集されていないデータを近似するために使用されうる。しかしながら、より望ましくは、折り線を少し越えたところからのデータは、図８Ａと同様の実施例ではあるが少量のオーバースキャンを伴う図９Ａに示すように少量のオーバースキャンを用いて収集される。図９Ｂは、図９Ａの軌跡のための部分パルスシーケンスを示す図である。図８Ａ及び図９Ａの実施例は、例えばコントラストのために、動きに対する感度を減少させること、感受性によって生ずる信号損失を減少させること等のために短いエコー時間（ＴＥ）が必要な場合に特に有利である。
【００４９】
上述の各実施例では、公称の幾何学的な軸の周りに対称にずれた平面又は部分平面の対が示されるが、本発明は視野が軸の回りに対称に傾斜されることは必要としない。例えば、図１０Ａは、視野のうちの１つが図示される実施例ではｋｘである公称の軸に整列し、他の視野がそこからねじれの位置にある二面軌跡７８（図２Ａ参照）の変形例である典型的な軌跡７８’を示す。同様に、図１０Ｂは、視野のうちの１つが図示される実施例ではｋｘである公称の軸に整列し、他の視野がそこからねじれの位置にある蝶ネクタイ型又は水掻き車型軌跡９８（図５Ａ及び図５Ｂ参照）の変形例である典型的な軌跡９８’を示す。更なる実施例では、各視野は公称の軸の回りにねじれの位置にあるか非対称に傾斜される。
【００５０】
上述の各実施例では、収集されるデータの平面の「折り線」即ち交差部は、公称の軸ｋｘ＝０又はｋｙ＝０に沿った向きとされる。しかしながら、折り線は所望の任意の方法の向きとされうることが認識される。図１１Ａ及び図１１Ｂを参照するに、角度が付けられた交差部即ち折り線を有する２つの部分平面からの表面の２つの典型的な実施例が示される。図１１Ａの実施例では、折り線１４５は平面１４４の狭い端が平面１４６の広い端に当たるような向きとされる。軌跡１４８は、ｋ空間を通る各横断線が同じ全体長さを有するという特徴を有する。
【００５１】
図１１Ｂの実施例は、２つの平面１５４及び１５６が反対の向きに向けられている、即ち、折り線１５５が、平面１５４の狭い端が平面１５６の狭い端に当たり、平面１５４の広い端が平面１５６の広い端に当たるような向きとされる点で異なる。本実施例では、ｋ空間の軌跡１５８は各周期ごとに徐々に長くなる。ｋ空間を通るとき、ｋ空間の中心により速く達するように狭い端から始めると有利である。ｋ空間の中心を通った後により多くの捕捉時間が費やされるため、特により大きい特徴については、なんらかの形の動きに対する累積される感度が少なくなることが予想される。
【００５２】
本発明は２つの平面又は部分平面に限られないことが認められるべきである。望ましくは、収集される平面又は部分平面の数は２乃至約８であることが望ましく、約２乃至約６であることが更に望ましい。データの２つよりも多くの平面が収集されるとき、捕捉は１つのＲＦ励起期間内に行われるか、ＲＦ励起期間のうちの少なくとも１つにおいて複数の角度的にずらされた平面が収集されるマルチショット方法によって行われうる。図１２Ａ及び図１２Ｂは、データの４つの交差する平面が収集される実施例を示す。これらの実施例についてここでは詳述しないが、詳細については当業者によれば、上述の議論より、例えば図５Ａ及び図７Ａの実施例を拡張することにより明らかとなろう。同様にデータの２つよりも多い部分平面が収集されうる。半平面が収集されるとき、各平面の残りは上述のように共役対称を用いて発生されることが望ましい。
【００５３】
データの半平面が収集され共役対象が使用される実施例では、各平面、従ってその交差線がｋ空間の中心を通過することが望ましい。しかしながら、ｋ空間の中心を通過しないｋ空間中のデータ平面の収集もまた考えられる。これは、見る方向に沿ってデータに対して位相ねじれを生じさせる。このように、ｋ空間の中心を通過しないデータの平面の収集は、幾つかの場合は、与えられる位相ねじれが大きい範囲の対象からの背景信号を減少させるのに有用でありうる。しかしながら、特に血管といった小さい対象については、共役対称はより困難であることが認識されよう。
【００５４】
体積を通る各視野は別々に再構成されるため、画像空間体積がどのように平行移動され中心がおかれるかについて選択の自由がある。これは、ハードウエアに基づき周波数のずれを与えること、又は、再構成において、例えばフーリエ変換が行われる前のｋ空間中の線形位相傾斜といった位相係数項を強いることによってなされうる。
【００５５】
励起された体積の公称の幾何学中心は、レンダリングされた画像の中心として選択される必要はない。例えば１つの実施例では、両方の画像中で共通の主な特徴又は点が識別され、見ること及び立体知覚をより容易とするために両方の視野のための中心として使用されうる。従って、針追跡、カテーテル追跡等の介在的撮像手順では、針の先端又はカテーテルの先端が再構成された視野の中心を与える。
【００５６】
動的な処理、介在的な処理、及び、拍動流又はボーラス流といった幾つかの方法については、関心対象は時系列の連続した画像中に時間的な差を示す。立体撮像は見られている特徴がまばらであるか小さいときに理想的であるため、大きい空間的な広がり及び／又は拡散位置の背景材料を差し引く方法は、立体の認識を改善させるために使用されうる。針の先端やカテーテルの先端等の特徴の位置が進行しているとき、位置の変化は以前の時間的な捕捉からの画像といった先行画像を差し引くことによって、又は、先行画像のフィルタリングされた移動平均によって強調されうる。背景画像を差し引くとき、先行画像又は平均フィルタリング画像のうちの幾らかの割合、例えば約５０−９０％、望ましくは約８０％を差し引くことによってそれらを部分的にのみ抑制することが有利であり得る。このようにして、大きい静的な特徴はかなり抑制され、小さい動的な特徴を区別することが容易となる。
【図面の簡単な説明】
【図１】
本発明による磁気共鳴スキャナを概略的に示す図である。
【図２Ａ】
二面ｋ空間軌跡を概略的に示す図である。
【図２Ｂ】
二面からなる表面に沿った軌跡を達成するための傾斜磁場パルスシーケンスを示す部分パルス図である。
【図２Ｃ】
望ましい実施例により平面の交差部に亘る少量のデータを用いてｋ空間の各平面が別々に再構成される望ましい再構成方法を示す図である。
【図２Ｄ】
望ましい実施例により平面の交差部に亘る少量のデータを用いてｋ空間の各平面が別々に再構成される望ましい再構成方法を示す図である。
【図３Ａ】
図２Ａに示す二面ｋ空間軌跡と同様であるが、Ｇｚ傾斜波形の殆ど瞬間的な立上り時間がなくされた他の実施例を示す図である。
【図３Ｂ】
図２Ａに示す二面ｋ空間軌跡と同様であるが、Ｇｚ傾斜波形の殆ど瞬間的な立上り時間がなくされた他の実施例を示す図である。
【図３Ｃ】
図３Ａ及び図３Ｂに示す軌跡を達成するための傾斜磁場パルスシーケンスを示す部分パルス図を示す図である。
【図３Ｄ】
滑らかな曲線によって連結される半平面を有するｋ空間軌跡の他の実施例を示す図である。
【図３Ｅ】
滑らかな曲線によって連結される半平面を有するｋ空間軌跡の他の実施例を示す図である。
【図４Ａ】
二面螺旋ｋ空間軌跡を示す図である。
【図４Ｂ】
図４Ａの二面螺旋軌跡を達成するための傾斜磁場パルスシーケンスを示す図である。
【図５Ａ】
ステップで進められる蝶ネクタイ型ｋ空間軌跡を用いてイメージングされる略水掻き車型の表面を示す図である。
【図５Ｂ】
ステップで進められる蝶ネクタイ型ｋ空間軌跡を用いてイメージングされる略水掻き車型の表面を示す図である。
【図５Ｃ】
図５Ａ及び図５Ｂの軌跡を達成するための傾斜磁場パルスシーケンスを示す図である。
【図６Ａ】
他の二面ｋ空間軌跡を示す図である。
【図６Ｂ】
図６Ａの二面からなる面を網羅するための傾斜磁場パルスシーケンスを示す図である。
【図７Ａ】
他の水掻き車型ｋ空間軌跡を示す図である。
【図７Ｂ】
他の水掻き車型ｋ空間軌跡を示す図である。
【図７Ｃ】
図７Ａ及び図７Ｂの水掻き車型軌跡を達成するための傾斜磁場パルスシーケンスを示す図である。
【図８Ａ】
他の水掻き車型ｋ空間軌跡を示す図である。
【図８Ｂ】
図８Ａの二面軌跡を達成するための傾斜磁場パルスシーケンスを示す図である。
【図９Ａ】
図８Ａと同様であるがオーバースキャンのある実施例を示す図である。
【図９Ｂ】
図９Ａの軌跡を達成するための傾斜磁場パルスシーケンスを示す図である。
【図１０Ａ】
公称幾何学軸に対して非対称な選択された平面対又は部分的な平面が示される典型的な実施例を示す図である。
【図１０Ｂ】
公称幾何学軸に対して非対称な選択された平面対又は部分的な平面が示される典型的な実施例を示す図である。
【図１１Ａ】
３次元ｋ空間のサンプリングされた平面の間の角度のある交差線の実施例を示す図である。
【図１１Ｂ】
３次元ｋ空間のサンプリングされた平面の間の角度のある交差線の実施例を示す図である。
【図１２Ａ】
２つの平面よりも多いデータが集められる実施例を示す図である。
【図１２Ｂ】
２つの平面よりも多いデータが集められる実施例を示す図である。
【図１】
2004515288.tif 000003
【図２Ｂ】
2004515288.tif 000004
【図１１Ａ】
2004515288.tif 000005
【図１１Ｂ】
2004515288.tif 000006
【国際公開パンフレット】
2004515288.tif 000007
2004515288.tif 000008
2004515288.tif 000009
2004515288.tif 000010
2004515288.tif 000011
2004515288.tif 000012
2004515288.tif 000013
2004515288.tif 000014
2004515288.tif 000015
2004515288.tif 000016
2004515288.tif 000017
2004515288.tif 000018
2004515288.tif 000019
2004515288.tif 000020
2004515288.tif 000021
2004515288.tif 000022
2004515288.tif 000023
2004515288.tif 000024
2004515288.tif 000025
2004515288.tif 000026
2004515288.tif 000027
2004515288.tif 000028
2004515288.tif 000029
2004515288.tif 000030
2004515288.tif 000031
2004515288.tif 000032
2004515288.tif 000033
2004515288.tif 000034
2004515288.tif 000035
2004515288.tif 000036
2004515288.tif 000037
2004515288.tif 000038
2004515288.tif 000039
2004515288.tif 000040
2004515288.tif 000041
2004515288.tif 000042
2004515288.tif 000043
2004515288.tif 000044
2004515288.tif 000045
2004515288.tif 000046
2004515288.tif 000047
2004515288.tif 000048
2004515288.tif 000049
2004515288.tif 000050
2004515288.tif 000051
【国際公開パンフレット（コレクトバージョン）】
2004515288.tif 000052
【国際調査報告】
2004515288.tif 000053
2004515288.tif 000054
2004515288.tif 000055